(57)【要約】【課題】  電話を着信拒否や転送をすることにより有料番組の視聴が邪魔されることがなく、有料番組の視聴後に自動的に着信拒否や転送を解除することができる電話機能付き有料番組受信装置を提供する。【解決手段】  電話機能付き有料番組受信装置１００はテレビ電話機能を備える。制御部１０９は、有料番組を受信中はテレビ電話の着信を拒否し、有料番組を受信し終えるとテレビ電話の着信拒否を解除する。また、テレビ電話の着信を拒否している間に着信があった場合、着信があった時刻データおよび着信相手の電話番号をメモリ１１０にメモリする。着信拒否の解除が行われた後に、着信を拒否している間に着信があった旨を表示や音声等で知らせる。また、着信拒否ではなく、別の電話（ＩＰ電話／受信可能なテレビ）に転送してもよい。【選択図】      図１
2006157718.tif 000002
【特許請求の範囲】
【請求項１】
電話機能を備えた有料番組視聴装置において、
特定の条件にあるか否かを判別する判別手段と、
この判別手段により特定の条件にあるときに前記電話機能の着信通知を停止し、前記特定の条件にないときに前記電話機能の着信通知を動作させる制御手段とを備えたことを特徴とする電話機能付き有料番組受信装置。
【請求項２】
通信回線に接続され電話処理を行う電話手段と、
有料番組を受信する番組受信手段と、
前記電話手段が電話を着信したことを検出する着信検出手段と、
この番組受信手段により受信されている番組が有料番組か否かを判定する有料番組判定手段と、
前記着信検出手段により前記電話の着信があったことを通知する通知手段と、
前記有料番組判定手段が有料番組と判定したときに前記通知手段による通知を停止し、この停止の後に有料番組でないと判定したときに前記通知手段による通知を行う制御手段とを備えたことを特徴とする電話機能付き有料番組受信装置。
【請求項３】
前記制御手段は、
前記通知手段による通知を停止している期間にあった着信に関する着信情報を記憶するメモリを備え、
前記停止の後に有料番組でないと判定したときに前記通知手段による通知を前記着信情報と共に通知させることを特徴とする請求項２記載の電話機能付き有料番組受信装置。
【請求項４】
通信回線に接続され電話処理を行う電話手段と、
有料番組を受信する番組受信手段と、
前記電話手段が電話を着信したことを検出する着信検出手段と、
この番組受信手段により受信されている番組が有料番組か否かを判定する有料番組判定手段と、
前記着信検出手段により前記電話の着信があったときに他の電話機器に電話を転送する電話転送手段と、
前記有料番組判定手段が有料番組と判定したときに前記転送手段による転送を行い、この停止の後に有料番組でないと判定したときに前記転送手段による転送を停止する制御手段とを備えたことを特徴とする電話機能付き有料番組受信装置。
【請求項５】
前記有料番組判定手段は、コピーガードが掛かっているか否かにより判定することを特徴とする請求項２または３に記載の電話機能付き有料番組受信装置。
【発明の詳細な説明】
【技術分野】
【０００１】
この発明は、有料番組受信装置に関し、特に電話機能の付いた有料番組受信装置に関する。
【背景技術】
【０００２】
従来、テレビ電話機能を有するテレビジョン受信装置として、テレビ電話による着信があった場合、着信を表示／音声等で知らせるものが知られている（例えば、特許文献１参照）。
【０００３】
また、テレビ電話機能を有するテレビジョン受信装置としては、テレビ番組を視聴中に電話が掛かってきた場合、一時停止および再生などの操作を自動で行い、リモコンなどによる操作なしにテレビ番組を連続して視聴することを可能にするものが知られている（例えば、特許文献２参照）。
【０００４】
しかし、この場合番組は連続して見ることができるが、やはり着信により有料番組の番組視聴自体は一時的に中断されてしまうという問題がある。
特に、Pay per View等有料番組を視聴している場合においては、テレビ電話の着信によるメッセージ等の表示／着信音等の再生によって番組視聴を邪魔されたくないという場合がある。しかし、従来の電話機能付き有料番組受信装置では、テレビ電話の着信によるメッセージ等の表示／着信音等の再生によって番組視聴が邪魔されてしまうという問題があった。
【０００５】
このような電話による着信による邪魔を回避するには使用者が着信拒否の設定を行えばよいが、その都度操作が必要になり煩雑であったり、或いは有料番組視聴後に着信拒否の解除を忘れてしまうという問題があった。
【特許文献１】特開平９−２６６５０６号公報
【特許文献２】特開２００２−３３５４７９公報
【発明の開示】
【発明が解決しようとする課題】
【０００６】
このように従来の電話機能付き有料番組受信装置においては、電話の着信により有料番組の視聴が邪魔されてしまうという問題があった。
この発明は電話の着信により有料番組の視聴が邪魔されることのない電話機能付き有料番組受信装置を提供することを目的とする。
【課題を解決するための手段】
【０００７】
上記の目的を達成するために、この発明においては、電話機能を備えた有料番組視聴装置において、特定の条件にあるか否かを判別する判別手段と、この判別手段により特定の条件にあるときに前記電話機能の着信通知を停止し、前記特定の条件にないときに前記電話機能の着信通知を動作させる制御手段とを備えたことを特徴とする電話機能付き有料番組受信装置を提供する。
【０００８】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、電話を着信拒否や転送をすることにより有料番組の視聴が邪魔されることがなく、有料番組の視聴後に自動的に着信拒否や転送を解除することができる電話機能付き有料番組受信装置を提供することができる。
【発明を実施するための最良の形態】
【００１０】
以下、図面を参照しながら本発明の実施の形態について説明する。
なお、本実施形態はテレビ電話機能付き有料番組受信装置を例に説明するが、通常の音声のみによる電話機能付き有料番組受信装置にも適用することができる。
（第１の実施形態）
図１は、本発明の第１の実施形態に係る電話機能付き有料番組受信装置の構成を示す図である。
図１において、電話機能付き有料番組受信装置１００は、アンテナ１０１、チューナ１０２、デジタル入力Ｉ／Ｆ１０３、カメラ１０４、マイク１０５、アナログ入力Ｉ／Ｆ１０６、ネットワークＩ／Ｆ１０７、リモコンＩ／Ｆ１０８、制御部１０９、メモリ１１０、映像出力部１１１、音声出力部１１２から構成されている。
【００１１】
アンテナ１０１は、放送波を受信しチューナ１０２へ供給する。
チューナ１０２は、制御部１１０からの指示に基づいて所定の番組を選局し、この選局された番組の映像信号を信号処理部１１１へ出力する。
デジタル入力Ｉ／Ｆ１０３は、デジタル映像信号等が入力されるＩ／Ｆである。
カメラ１０４は、テレビ電話機能を実現するために撮像した映像信号を生成する。
マイク１０５は、テレビ電話機能を実現するために集音された音声信号を生成する。なお、この実施形態ではカメラ１０４とマイク１０５は、後述するアナログ入力Ｉ／Ｆに接続されているものとして説明するが、前述したデジタル入力Ｉ／Ｆ１０３に接続される形態であってもよい。
【００１２】
アナログ入力Ｉ／Ｆ１０６は、アナログ映像信号等が入力されるＩ／Ｆである。
ネットワークＩ／Ｆ１０７は、例えばインターネット等のネットワークとのＩ／Ｆである。
リモコンＩ／Ｆ１０８は、赤外線等を用いたリモートコントローラからの信号を受けるＩ／Ｆである。
制御部１０９は、ＣＰＵやメモリを備えており、ソフトウェアを実行することによってテレビ電話機能を実現することができる。また、メモリ１１０に記憶されている設定に基づいた動作を行う。
【００１３】
メモリ１１０は、電話機能付き有料番組受信装置１００の各種設定を記憶するためのメモリである。
映像出力部１１１は、映像信号を出力する端子またはディスプレイである。
音声出力部１１２は、音声信号を出力する端子またはスピーカである。
次に、このように構成された電話機能付き有料番組受信装置１００の動作について詳細に説明する。先にも述べたが本発明の電話機能付き有料番組受信装置１００はテレビ電話機能を備えている。これは制御部１０９がソフトウェアを実行することにより実現される。
【００１４】
本発明は、従来の問題点を回避するため、Pay per View等の有料番組を視聴していることを検出し自動でテレビ電話の着信拒否設定および解除を行う。
通常有料番組はコピーガードが掛かっているのが普通である。有料番組の検出方法としては、例えばこのコピーガードが掛かっているか否かによって検出する。また、直接テレビ自身のチューナで受信している場合には、有料番組受信の許可が行われているので、これを利用して検出してもよい。
【００１５】
制御部１０９は、有料番組を受信中はテレビ電話の着信を拒否し、有料番組を受信し終えるとテレビ電話の着信拒否を解除する。
また、制御部１０９は、テレビ電話の着信を拒否している間に着信があった場合、着信があった時刻データおよび着信相手の電話番号をメモリ１１０にメモリする。
そして着信拒否の解除が行われた後に、着信を拒否している間に着信があった旨を表示や音声等で知らせる。この際、着信があった時刻データおよび着信相手の電話番号を表示する。更にメモリ１１０内にテレビ電話の電話帳を有している場合には、電話番号が電話帳に登録されていれば電話帳の情報である、例えば氏名等を同時に表示するようにしてもよい。
【００１６】
また、上記例では有料番組視聴中の着信動作として着信拒否することとした。しかし、本発明はこれに限るものではない。他の例としては別の電話（ＩＰ電話／受信可能なテレビ）に転送するモードや、通常通り着信するモードを有していてもよい。
【００１７】
上記動作を図２のフローチャートを用いて説明する。
ステップＳ２０１では、テレビ電話の着信があった場合、まず制御部１０９はメモリ１１０に記憶されているテレビ電話機能としてどのように振る舞うかを記憶しているデフォルト設定を見に行く。このステップＳ２０１では、有料放送判定以前に、無条件に着信する発信者か、無条件に着信拒否するか、着信拒否リストの設定があるか、転送指示があるか等、テレビ電話機能に設定がされているか否かを判定する。
【００１８】
ステップＳ２０１において設定があれば、ステップＳ２０２へ進む。ステップＳ２０１において設定がない、或いは設定された条件に該当しない、或いは明示的に放送自動判定が設定されていればステップＳ２０３へ進む。
【００１９】
ステップＳ２０２では、制御部１０９は設定に従って処理を実行する。
ステップＳ２０３では、制御部１０９は電話機能付き有料番組受信装置１００が番組を視聴しているか否かを判定する。ステップＳ２０３において番組を視聴していればステップＳ２０４へ進み、視聴していなければステップＳ２０５へ進む。
【００２０】
ステップＳ２０４では、制御部１０９は視聴している番組はチューナ１０２からの信号か或いはデジタル入力Ｉ／Ｆ１０３等を介した外部入力かを判定する。ステップＳ２０４においてチューナ１０２から番組を視聴していればステップＳ２０６へ進み、外部入力からの番組を視聴していればステップＳ２０７へ進む。
【００２１】
ステップＳ２０５では、制御部１０９はテレビ電話が着信したことを表示や着信音により着信を通知した後、処理を終了する。このステップＳ２０５における着信の通知については画面への表示の他に音声等で通知してもよい。
【００２２】
ステップＳ２０６では、制御部１０９はチューナ１０２により受信されている番組がスクランブル放送か否かを判定する。ステップＳ２０６においてスクランブル放送であればステップＳ２０８へ進み、スクランブル放送でなければ先のステップＳ２０５へ進む。
【００２３】
ステップＳ２０７では、制御部１０９は外部入力にコピーガードが掛けられているか否かを判定する。なお、ステップＳ２０７では、コピーガードが掛けられていれば有料放送とみなしている。ステップＳ２０７においてコピーガードが掛けられていればステップＳ２０８へ進み、施されていなければ先のステップＳ２０５へ進む。
【００２４】
ステップＳ２０８では、制御部１０９は電話機能付き有料番組受信装置１００を着信表示をしない設定とし、ステップＳ２０９へ進む。
ステップＳ２０９では、制御部１０９は他の機器への転送設定がされているか否かを判定する。ステップＳ２０９において他の機器への転送設定がされていればステップＳ２１０へ進み、転送設定がされていなければステップＳ２１１へ進む。
【００２５】
ステップＳ２１０では、制御部１０９は他の機器へ転送した後、処理を終了する。
ステップＳ２１１では、制御部１０９は有料番組が放送終了したか否かを判定する。
ステップＳ２１２では、制御部１０９は電話機能付き有料番組受信装置１００を着信表示するあるいは転送表示をする設定とする。
なお、有料放送の判定条件は、予めチャンネル、時間、入力等を登録しておくことにより使用者が任意に設定することができるようにしてもよい。例えばチューナ入力の時、“コピー不可”の番組を有料放送と判定しても良い。
【００２６】
また、この電話機能付き有料番組受信装置１００としては、テレビ電話のできるテレビだけでなく、ＰＣやＶｏＩＰ端末でもかまわない。その場合テレビ電話になるか音声のみになるかは、転送先の機器による。
【００２７】
また、ＰＣで実現する場合には図３に示すようにテレビ電話のボードを増設することによりテレビ電話機能を実現してもよい。
また、一旦表示を行った後、再び有料放送が始まれば着信の表示を消すようにしてもよい。
また、重要な電話を待っているときには、強制的に表示するモードを持っていてもよい。
以上の結果、Pay per View等有料番組を視聴している場合に、電話の着信により有料番組の視聴を邪魔されることがない。また、自動で有料番組であることが判別されるため、使用者による煩雑な操作は不要である。また、有料番組視聴後には自動で着信拒否や転送が解除されるため、ずっと着信できないままになってしまうなどの不都合が解消される。
【００２８】
本発明はテレビだけでなく、ＰＣでテレビ電話やチャット等リアルタイムコミニュケーションを受ける場合にも応用できる。本実施形態は、典型的には、ソフトウェアで制御されるコンピュータによって実現してもよい。この場合のソフトウェアは、プログラムやデータを含み、コンピュータのハードウェアを物理的に活用することで本発明の作用効果を実現するものであり、従来技術を適用可能な部分には好適な従来技術が適用される。さらに、本発明を実現するハードウェアやソフトウェアの具体的な種類や構成、ソフトウェアで処理する範囲などは自由に変更可能である。
【００２９】
ＰＣの場合には、有料放送ではなく特定のプログラムがアクティブの場合に着信拒否を行い、そのプログラムがアイドルもしくはアイコン化の場合は、着信通知を行うことになる。
【図面の簡単な説明】
【００３０】
【図１】電話機能付き有料番組受信装置のブロック図を示す図。
【図２】電話機能付き有料番組受信装置の動作を示すフローチャート。
【図３】電話機能付き有料番組受信装置のブロック図を示す図。
【符号の説明】
【００３１】
１０１…アンテナ、１０２…チューナ、１０３…デジタル入力Ｉ／Ｆ、１０４…カメラ、１０５…マイク、１０６…アナログ入力Ｉ／Ｆ、１０７…ネットワークＩ／Ｆ、１０８…リモコンＩ／Ｆ、１０９…制御部、１１０…メモリ、１１１…映像出力部、１１２…音声出力部。
【図１】
2006157718.tif 000003
【図２】
2006157718.tif 000004
【図３】
2006157718.tif 000005